(57)【要約】【課題】機能増加による操作性の悪化を改善できるようにした電子機器を提供する。【解決手段】第１の操作部であるボタンＢは、主時刻と副時刻とに時刻表示を切り替える。第２の操作部であるボタンＡは、長押しにより時刻モードから設定モードに切り替える。ボタンＢにより時刻の表示が切り替えられた後、ボタンＡにより設定モードに切り替えられた場合、主時刻を表示しているか副時刻を表示しているかの条件に応じて、全ての設定項目が設定できる通常設定モード、又は設定項目が時刻表示に限定された時刻設定モードにモードが切り替えられる。【選択図】図３
2015010995.tif 000002
【特許請求の範囲】
【請求項１】
第１の時刻と少なくとも１つの第２の時刻との表示を切り替える第１の操作部と、
自装置の設定を行う設定モードに切り替える第２の操作部と、
前記第１の操作部により時刻の表示が切り替えられた後、前記第２の操作部により設定モードに切り替えられた場合、予め定められている条件に応じて、第１の設定モード又は第２の設定モードに切り替える処理部と、
を備えることを特徴とする電子機器。
【請求項２】
前記予め定められている条件は、
前記第１の時刻が表示されている場合又は前記第２の時刻が表示されている場合である
ことを特徴とする請求項１に記載の電子機器。
【請求項３】
前記予め定められている条件は、
前記第２の操作部により設定モードに切り替えられた後、所定の変更回数に到達した場合又は所定の変更回数に到達していない場合である
ことを特徴とする請求項１に記載の電子機器。
【請求項４】
前記予め定められている条件は、
前記第２の操作部により設定モードに切り替えられた後、所定の時間が経過した場合又は所定の時間が経過していない場合である
ことを特徴とする請求項１に記載の電子機器。
【請求項５】
第１の操作部の操作に応じて、第１の時刻と少なくとも１つの第２の時刻との表示を切り替えるステップと、
第２の操作部の操作に応じて、自装置の設定を行う設定モードに切り替えるステップと、
前記第１の操作部により時刻の表示が切り替えられた後、前記第２の操作部により設定モードに切り替えられた場合、予め定められている条件に応じて、第１の設定モード又は第２の設定モードに切り替えるステップと
を含むコンピュータにより実行可能な電子機器プログラム。
【発明の詳細な説明】
【技術分野】
【０００１】
本発明は、電子機器、及び電子機器プログラムに関する。
【背景技術】
【０００２】
携帯型の電子機器の機能向上と共に、その操作が複雑化している。例えば、電子機器の一例として、腕時計タイプの電子時計の場合には、本来の機能である時刻表示の他に、ストップウォッチ機能、アラーム機能、タイマ機能、さらには、歩数計、心拍計、高度計等、多数の機能を有するものが登場してきている。また、例えば特許文献１及び特許文献２に示すように、主時刻と副時刻とが表示できる電子時計が登場してきている。このような多機能化が図られた電子機器では、設定機能の数量に比例して、設定操作数が増加し、その操作が複雑化する。
【先行技術文献】
【特許文献】
【０００３】
【特許文献１】特開昭５２−１３０６６６号公報
【特許文献２】特開昭５１−７５５６２号公報
【発明の概要】
【発明が解決しようとする課題】
【０００４】
上述のように、携帯型の電子機器では、機能向上と共にその操作が複雑化する。また、携帯型の電子機器では、表示部の面積や操作ボタンの数や大きさに限界がある。このため、機能向上と共に、設定操作数が増加し、操作性が悪化するという問題が生じてくる。
【０００５】
上述の課題を鑑み、本発明は、機能増加による操作性の悪化を改善できるようにした電子機器及び電子機器プログラムを提供することを目的とする。
【課題を解決するための手段】
【０００６】
上述の課題を解決するために、本発明の一態様に係る電子機器は、第１の時刻と少なくとも１つの第２の時刻との表示を切り替える第１の操作部と、自装置の設定を行う設定モードに切り替える第２の操作部と、前記第１の操作部により時刻の表示が切り替えられた後、前記第２の操作部により設定モードに切り替えられた場合、予め定められている条件に応じて、第１の設定モード又は第２の設定モードに切り替える処理部とを備えることを特徴とする。
【０００７】
また、本発明の一態様に係る電子機器において、前記予め定められている条件は、前記第１の時刻が表示されている場合又は前記第２の時刻が表示されている場合であるようにしてもよい。
【０００８】
また、本発明の一態様に係る電子機器において、前記予め定められている条件は、前記第２の操作部により設定モードに切り替えられた後、所定の変更回数に到達した場合又は所定の変更回数に到達していない場合であるようにしてもよい。
【０００９】
また、本発明の一態様に係る電子機器において、前記予め定められている条件は、前記第２の操作部により設定モードに切り替えられた後、所定の時間が経過した場合又は所定の時間が経過していない場合であるようにしてもよい。
【００１０】
上述の課題を解決するために、本発明の一態様に係る電子機器プログラムは、第１の操作部の操作に応じて、第１の時刻と少なくとも１つの第２の時刻との表示を切り替えるステップと、第２の操作部の操作に応じて、自装置の設定を行う設定モードに切り替えるステップと、前記第１の操作部により時刻の表示が切り替えられた後、前記第２の操作部により設定モードに切り替えられた場合、予め定められている条件に応じて、第１の設定モード又は第２の設定モードに切り替えるステップとを含むことを特徴とする。
【発明の効果】
【００１１】
本発明によれば、設定モードに切り替えたときに、予め定められている条件に応じて、第１の設定モード又は第２の設定モードに切り替えている。これにより、条件に応じた操作項目の設定モードに設定でき、操作項目を減少して、操作性を改善することができる。
【図面の簡単な説明】
【００１２】
【図１】第１実施形態における電子機器の外形図の一例を示す図である。
【図２】第１実施形態における電子機器の各ボタンの機能の説明図である。
【図３】第１実施形態における電子機器の構成を示したブロック図である。
【図４】第１実施形態における電子機器１の時刻モードでの動作を示すフローチャートである。
【図５】第１実施形態における通常設定モードの設定項目と時刻設定モードの設定項目を示す図である。
【図６】第１実施形態における電子機器のモードの移行を示す状態遷移図である。
【図７】第２実施形態における電子機器の構成を示したブロック図である。
【図８】第２実施形態における電子機器の時刻モードでの動作を示すフローチャートである。
【図９】第３実施形態における電子機器の構成を示したブロック図である。
【図１０】第３実施形態における電子機器の時刻モードでの動作を示すフローチャートである。
【発明を実施するための形態】
【００１３】
［第１実施形態］
以下、本発明の実施の形態について図面を参照しながら説明する。また、以下の例では、電子機器の一例として、電子時計を例に説明する。
【００１４】
図１は、本実施形態における電子機器１の外形図の一例を示す図である。図１において、本体１０は、電子機器１のケースであり、内部に制御基板を有している。本体１０の周縁には、ボタンＡ〜Ｄが配設される。本体１０内には、表示部１１が装着される。表示部１１には、現在時刻やカレンダー、ストップウォッチ等の各種の情報が表示される。
【００１５】
電子機器１は、時刻モード、ストップウォッチモード、設定モード等を有している。時刻モードは、表示部１１に現在時刻を表示するモードである。本実施形態の電子機器１では、時刻モードにおいて、主時刻と副時刻との２つの時刻を切り替えて表示部１１に表示することができる。主時刻は例えば日本標準時、副時刻は例えばアメリカ東部標準時等、主時刻と副時刻には、異なる地域の時刻を設定することができる。
【００１６】
ストップウォッチモードは、ストップウォッチ計測の開始、ストップウォッチ計測の停止、リセット等、所謂クロノグラフ機能を実現するモードである。ストップウォッチモードでは、計測の開始時刻から計測の終了時刻までの経過時間等が表示部１１に表示される。
【００１７】
設定モードは、各種の設定を行うためのモードである。設定モードでは、時刻設定や、表示方式の切り替え等が設定できる。なお、本実施形態では、時刻モードから設定モードに移行させるときに、予め定められている条件に応じて、異なる設定項目の設定モードを切り替えている。このことについては、後に説明する。
【００１８】
ボタンＡ〜Ｄは、各種の入力を行うボタンである。ボタンＡ〜Ｄは、図２に示すように、各モードにより、異なる機能となる。図２は、本実施形態における電子機器の各ボタンの機能の説明図である。
図２に示すように、時刻モードでは、ボタンＡはモード設定ボタンとなる。時刻モードでボタンＡが例えば１秒以上長押しされると、設定モードへモードが移行し、また、ボタンＡが例えば１秒未満押されると、ストップウォッチモードへモードが移行される。また、時刻モードの時には、ボタンＢは主時刻と副時刻との切り替えボタンとなり、ボタンＢが押されると、それまで主時刻が表示されている場合には、副時刻が表示されるように切り替えられ、それまで副時刻が表示されている場合には、主時刻が表示されるように切り替えられる。また、ボタンＣは操作音のオン／オフの切り替えボタンとなり、ボタンＣが押されると、それまで操作音がオフされている場合には、操作音がオンとなるように切り替えられ、それまで操作音がオフされている場合には、操作音がオンされるように切り替えられる。また、ボタンＤはバックライトの点灯ボタンとなる。
【００１９】
ストップウォッチモードの時には、ボタンＡはモード切り替えボタンとなり、ストップウォッチモードでボタンＡが押されると、時刻モードにモードが移行される。また、ボタンＢは計測スタート／ストップボタンとなり、ボタンＢが押されると、ストップウォッチ計測がスタートされ、又はストップウォッチ計測がストップされる。また、ボタンＣは計測リセットボタンとなり、ボタンＣが押されると、計測がリセットされる。また、ボタンＤはバックライトの点灯ボタンとなる。
【００２０】
設定モードの時には、ボタンＡは、時刻モードへモードを切り替えるボタンとなり、ボタンＢは、次の設定項目へ移行させるためのボタンとなり、ボタンＣは、設定値変更のためのボタンとなり、ボタンＤはバックライトの点灯ボタンとなる。
【００２１】
図３は、本実施形態における電子機器１の構成を示したブロック図である。図３に示すように、電子機器１は、発振部１０１、制御部１０２、入力部１０３、記憶部１０４、表示部１１、バックライト１０５、ブザー１０６、及び歩数検出部１０７を備える。
【００２２】
発振部１０１は、基準クロック信号を発生させ、発生させた基準クロック信号を制御部１０２に出力する。発振部１０１は、正確な時刻を計測できるように、例えば水晶発振器を含んで構成されている。
【００２３】
制御部１０２は、各動作モードの制御、及び電子機器１を構成する各電子回路要素の制御等を行う。制御部１０２は、発振部１０１からのクロックをカウントし、月、日、時、分、秒に基づいて分周することにより、現在時刻を求め、時計機能を実現する。時刻モードでは、制御部１０２は、求められた現在時刻に基づいて、表示部１１に主時刻を表示する。また、時刻モードでは、制御部１０２は、この現在時刻に対して、時差を加算又は減算することにより副時刻を求め、表示部１１に表示する。また、ストップウォッチモードでは、計時開始から終了まで、この発振部１０１からのクロックをカウントすることにより経過時間を求め、表示部１１に表示する。
【００２４】
入力部１０３は、本体１０の周縁のボタンＡ〜ボタンＤ（図１参照）に対応しており、利用者からの指示の入力を受け付ける。この入力部１０３の検出結果は、制御部１０２に出力される。
【００２５】
表示部１１は、制御部１０２からの制御信号に応答して、時刻モード、ストップウォッチモード、設定モード等に応じて、各種の情報を表示する。表示部１１は、一例として液晶表示装置（ＬＣＤ：Ｌｉｑｕｉｄ  Ｃｒｙｓｔａｌ  Ｄｉｓｐｌａｙ）である。
【００２６】
記憶部１０４は、制御部１０２が実行するプログラム、時刻や設定情報を記憶する。記憶部１０４に記憶される情報は、主時刻を表示するための分値、時値、日値、月値、年値等の設定情報、副時刻を表示するための分値、時値、日値、月値、年値等の設定情報、１２時制と２４時制等の表示方式の情報、月・日／曜日・日等の表示方式の情報、歩数検出のオン又はオフの切り替え情報、表示濃度値の情報等を含む。
【００２７】
バックライト１０５は、表示部１１に対してバックライトを照射する。ブザー１０６は、入力部１０３のボタンＡ〜ボタンＤを操作したときの操作音を発生する。歩数検出部１０７は、利用者の歩数検出を行い、検出した結果を制御部１０２に出力する。歩数検出部１０７としては、例えば、加速度センサが用いられる。この歩数検出部１０７の出力は、例えば、電子機器１を歩数計として機能させる場合に用いることができる。
【００２８】
次に、本実施形態における電子機器１の動作について、図４のフローチャートを参照しながら説明する。図４は、本実施形態における電子機器１の時刻モードでの動作を示すフローチャートである。
【００２９】
（ステップＳ１０１）制御部１０２は、入力部１０３のボタンＡ〜Ｄが操作されたか否かを監視している。前述したように、時刻モードの時には、ボタンＢは主時刻と副時刻との切り替えボタン（第１の操作部）となる。ボタンＡはモード切り替えボタン（第２の操作部）となり、ボタンＡが例えば１秒以上長押しされると、設定モードにモードが移行し、ボタンＡが例えば１秒未満押されると、ストップウォッチモードにモードが移行する。ボタンＣは操作音のオン／オフの切り替えボタンとなる。ボタンＤはバックライトの点灯ボタンとなる。制御部１０２は、ボタンが操作されたことが検出された場合（ステップＳ１０１；ＹＥＳ）、ステップＳ１０２に進み、ボタンＡ〜Ｄが操作されたことが検出されない場合（ステップＳ１０１；ＮＯ）、ステップＳ１０１を繰り返す。
【００３０】
（ステップＳ１０２）制御部１０２は、ボタンＢが操作されたかどうかを判定する。制御部１０２は、ボタンＢが操作されたと判定した場合（ステップＳ１０２；ＹＥＳ）、ステップＳ１０３に進み、ボタンＢが操作されていないと判定した場合（ステップＳ１０２；ＮＯ）、ステップＳ１０８に進む。
（ステップＳ１０３）制御部１０２は、現在、主時刻を表示している状態か副時刻を表示している状態かを判定する。制御部１０２は、主時刻を表示している状態であると判定した場合（ステップＳ１０３；ＹＥＳ）、ステップＳ１０４に進み、副時刻を表示している状態であると判定した場合（ステップＳ１０３；ＮＯ）、ステップＳ１０６に進む。
【００３１】
（ステップＳ１０４）制御部１０２は、副時刻を表示する状態に切り替える。
（ステップＳ１０５）制御部１０２は、副時刻を表示部１１に表示して、ステップＳ１０１に処理を戻す。
（ステップＳ１０６）制御部１０２は、主時刻を表示する状態に切り替える。
（ステップＳ１０７）制御部１０２は、主時刻を表示部１１に表示して、ステップＳ１０１に処理を戻す。
【００３２】
（ステップＳ１０８）制御部１０２は、ボタンＡが操作されたか否かを判定する。制御部１０２は、ボタンＡが操作されたと判定した場合（ステップＳ１０８；ＹＥＳ）、ステップＳ１０９に進み、ボタンＡが操作されていないと判定した場合（ステップＳ１０８；ＮＯ）、ステップＳ１１４に進む。
（ステップＳ１０９）制御部１０２は、ボタンＡが１秒以上押し続けられたか否かを判定する。制御部１０２は、ボタンＡが１秒以上押されたと判定した場合（ステップＳ１０９；ＹＥＳ）、ステップＳ１１１に進み、ボタンＡの操作時間が１秒未満であると判定した場合（ステップＳ１０９；ＮＯ）、ステップＳ１１０に進む。
（ステップＳ１１０）制御部１０２は、処理をストップウォッチモードに移行させる。
【００３３】
（ステップＳ１１１）制御部１０２は、現在、主時刻を表示している状態か副時刻を表示している状態かどうかを判定する。制御部１０２は、主時刻を表示している状態であると判定した場合（ステップＳ１１１；ＹＥＳ）、ステップＳ１１２に進み、副時刻を表示している状態であると判定した場合（ステップＳ１１１；ＮＯ）、ステップＳ１１３に進む。
【００３４】
（ステップＳ１１２）制御部１０２は、通常設定モード（第１の設定モード）に処理を移行する（ステップＳ１１２）。ここで、通常設定モードは、「秒リセット」、「分値変更」、「時値変更」、「月値変更」、「年値変更」、「１２時／２４時表示方式変更」、「月・日／曜日・日  表示方式変更」、「歩数計検出オン／オフ」、「表示濃度値変更」等、全ての設定項目を設定するものである。
（ステップＳ１１３）制御部１０２は、時刻設定モード（第２の設定モード）に処理を移行する。ここで、時刻設定モードは、副時刻の「分値変更」、「時値変更」、「月値変更」、「年値変更」等、時刻設定に限定した設定項目を設定するものである。
【００３５】
（ステップＳ１１４）制御部１０２は、ボタンＣが操作されたか否かを判定する。制御部１０２は、ボタンＣが操作されたことを検出した場合（ステップＳ１１４；ＹＥＳ）、ステップＳ１１５に進み、ボタンＣが操作されていないと判定した場合（ステップＳ１１４；ＮＯ）、ステップＳ１１８に進む。
（ステップＳ１１５）制御部１０２は、現在、操作音がオン状態かどうかを判定する。制御部１０２は、操作音がオン状態であると判定した場合（ステップＳ１１５；ＹＥＳ）、ステップＳ１１６に進み、操作音がオフ状態であると判定した場合（ステップＳ１１５；ＮＯ）、ステップＳ１１７に進む。
【００３６】
（ステップＳ１１６）制御部１０２は、操作音をオフ状態に切り替え、ステップＳ１０１に処理を戻す。
（ステップＳ１１７）制御部１０２は、操作音をオン状態に切り替えて、ステップＳ１０１に処理を戻す。
【００３７】
（ステップＳ１１８）制御部１０２は、ボタンＤが操作されたかどうかを判定する。制御部１０２は、ボタンＤが操作されたと判定した場合（ステップＳ１１８；ＹＥＳ）、ステップＳ１１９に進み、ボタンＤが操作されていないと判定した場合（ステップＳ１１８；ＮＯ）、ステップＳ１０１に処理を戻す。
（ステップＳ１１９）制御部１０２は、バックライト１０５を点灯させて、ステップＳ１０１に処理を戻す。
【００３８】
図５は、本実施形態における通常設定モードの設定項目と、時刻設定モードの設定項目を示すものである。
ステップＳ１１２（図４）で通常設定モードに設定されると、図５に示すように、「秒リセット」、「分値変更」、「時値変更」、「日値変更」、「月値変更」、「年値変更」、「１２時／２４時表示方式変更」、「月・日／曜日・日  表示方式変更」、「歩数計検出オン／オフ切り替え」、「表示濃度値変更」の順に、各種の項目に設定項目が切り替えられる。したがって、項目変更数は１０個である。これに対して、ステップＳ１１３（図４）で時刻設定モードに設定されると、「分値変更」、「時値変更」、「日値変更」、「月値変更」、「年値変更」の順に、副時刻の設定に関する項目に限定して設定項目が切り替えられ、項目変更数が５個に減少する。このように、時刻設定モードに設定されると、時刻を設定する際の設定項目が減少し、操作性が向上する。なお、通常設定モード及び時刻設定モードの設定項目は一例であり、これに限定されるものではない。例えば、時刻設定モードでは、「分値変更」と「時値変更」のみを設定項目とするようにしてもよく、あるいは、「日値変更」のみを設定項目とするようにしてもよい。
【００３９】
図６は、本実施形態における電子機器１のモードの移行を状態遷移図で示したものである。前述したように、本実施形態における電子機器１は、時刻モードのときの状態（状態１５１）と、ストップウォッチモードのときの状態（状態１５２）と、設定モードのときの状態（状態１５３）との３つの状態に遷移できる。時刻モードのときには、主時刻表示モードのときの状態（状態１５１ａ）と副時刻表示モードのときの状態（状態１５１ｂ）とがある。主時刻表示モードの状態（状態１５１ａ）と副時刻表示モードの状態（状態１５１ｂ）とは、ボタンＢにより遷移できる。
【００４０】
時刻モードの状態（状態１５１）で、ボタンＡを１秒未満押すと、ストップウォッチモードの状態（状態１５２）にモードが移行できる。また、時刻モードの状態（状態１５１）で、ボタンＡを１秒以上長押しすると、設定モードの状態（状態１５３）にモードが移行できる。このとき、主時刻表示モードの状態（状態１５１ａ）であれば、全ての設定項目が設定できる通常設定モードの状態（状態１５３ａ）にモードが移行する。これに対して、副時刻表示モードの状態（状態１５１ｂ）であれば、副時刻の時刻設定に設定項目が限定された時刻設定モードの状態（状態１５３ｂ）にモードが移行する。
【００４１】
以上説明したように、本実施形態に係る電子機器１は、第１の時刻と少なくとも１つの第２の時刻との表示を切り替える第１の操作部（入力部１０３、ボタンＢ）と、自装置の設定を行う設定モードに切り替える第２の操作部（入力部１０３、ボタンＡ）と、第１の操作部により時刻の表示が切り替えられた後、第２の操作部により設定モードに切り替えられた場合、予め定められている条件に応じて、第１の設定モード又は第２の設定モードに切り替える処理部（制御部１０２）と、を備える。
また、本実施形態に係る電子機器１において、予め定められている条件は、第１の時刻が表示されている場合又は第２の時刻が表示されている場合である。
【００４２】
この構成により、本実施形態では、時刻モードから設定モードに移行させるときに、予め定められている条件に応じて、通常設定モード又は時刻設定モードにモードが切り替えられる。つまり、図４のステップＳ１０８〜ステップＳ１１３で示したように、ボタンＡを１秒以上長押しして時刻モードから設定モードに移行させた際に、主時刻が表示されている状態か副時刻が表示されている状態かを条件として、通常設定モード又は時刻設定モードの一方にモードが切り替えられる。電子機器１の機能の増加と共に設定項目は増加しており、全ての設定項目を常に設定できるようにすると、操作性が悪化する。通常設定モードでは、全ての設定項目を設定できるが、副時刻を表示させたときに利用者が設定したい項目は、副時刻の時刻設定に限定されていると考えられる。そこで、本実施形態では、副時刻を表示させたときには、時刻設定モードに設定し、設定項目を時刻設定の項目に限定している。設定項目を時刻設定の項目に限定して設定項目を減少させることで、操作性の改善が図れる。
【００４３】
［第２の実施形態］
次に、第２実施形態について説明する。図７は、本実施形態における電子機器１ａの構成を示したブロック図である。図７に示すように、本実施形態における電子機器１ａは、発振部２０１、制御部２０２、入力部２０３、記憶部２０４、表示部２１１、バックライト２０５、ブザー２０６、歩数検出部２０７、及び項目変更カウンタ２２１を備える。発振部２０１、制御部２０２、入力部２０３、記憶部２０４、表示部２１１、バックライト２０５、ブザー２０６、歩数検出部２０７は、第１実施形態における、発振部１０１、制御部１０２、入力部１０３、記憶部１０４、表示部１１、バックライト１０５、ブザー１０６、歩数検出部１０７と同様であり、その説明は省略する。
項目変更カウンタ２２１は、主時刻と副時刻とを切り替えた後に、設定モードに設定した回数をカウントし、カウントした回数を制御部２０２に出力する。
【００４４】
図８は、本発明の第２の実施形態における電子機器１ａの時刻モードでの処理を示すフローチャートである。
（ステップＳ２０１）制御部２０２は、入力部２０３のボタンＡ〜Ｄが操作されたか否かを監視している。制御部２０２は、ボタンが操作されたことが検出された場合（ステップＳ２０１；ＹＥＳ）、ステップＳ２０２に進み、ボタンＡ〜Ｄが操作されたことが検出されない場合（ステップＳ２０１；ＮＯ）、ステップＳ２０１を繰り返す。
【００４５】
（ステップＳ２０２〜Ｓ２０７）制御部２０２は、ステップＳ１０２〜Ｓ１０７と同様に処理を行う。
（ステップＳ２０８）制御部２０２は、項目変更カウンタ２２１をリセットする。
（ステップＳ２０９）制御部２０２は、項目変更フラグをオンして、ステップＳ２０１に処理を戻す。
【００４６】
（ステップＳ２１０）制御部２０２は、ボタンＡが操作されたか否かを判定する。制御部２０２は、ボタンＡが操作されたと判定した場合（ステップＳ２１０；ＹＥＳ）、ステップＳ２１１に進み、ボタンＡが操作されていないと判定した場合（ステップＳ２１０；ＮＯ）、ステップＳ２２０に進む。
（ステップＳ２１１）制御部２０２は、ボタンＡが１秒以上押し続けられたかどうかを判定する。制御部２０２は、ボタンＡが１秒以上長押しされたと判定した場合（ステップＳ２１１；ＹＥＳ）、ステップＳ２１３に進み、ボタンＡの操作時間が１秒未満であると判定した場合（ステップＳ２１１；ＮＯ）、ステップＳ２１２に進む。
（ステップＳ２１２）制御部２０２は、処理をストップウォッチモードに移行させる。
【００４７】
（ステップＳ２１３）制御部２０２は、項目変更フラグがオンか否かを判定する。ステップＳ２０９で示したように、項目変更フラグは、主時刻表示から副時刻表示に切り替えたとき、または副時刻表示から主時刻表示に切り替えたときにオンされる。したがって、主時刻表示から副時刻表示に切り替えが行われていず、または副時刻表示から主時刻表示に切り替えが行われていなければ、項目変更フラグはオフになっている。制御部２０２は、項目変更フラグがオンであると判定した場合（ステップＳ２１３；ＹＥＳ）、ステップＳ２１５に進み、項目変更フラグがオフであると判定した場合（ステップＳ２１３；ＮＯ）、ステップＳ２１４に進む。
（ステップＳ２１４）制御部２０２は、通常設定モードに処理を移行する。
【００４８】
（ステップＳ２１５）制御部２０２は、項目変更カウンタ２２１をカウントアップさせる。
（ステップＳ２１６）制御部２０２は、項目変更カウンタ２２１のカウント値が所定回数に到達したかどうかを判定する。ステップＳ２０８で示したように、項目変更カウンタ２２１は、主時刻表示から副時刻表示に切り替えたとき、または副時刻表示から主時刻表示に切り替えたときにリセットされる。したがって、主時刻表示から副時刻表示に切り替えた直後、または副時刻表示から主時刻表示に切り替えた直後では、項目変更カウンタ２２１のカウント値は所定値に到達していない。制御部２０２は、項目変更カウンタ２２１のカウント値が所定回数に到達したと判定した場合（ステップＳ２１６；ＹＥＳ）、ステップＳ２１８に進み、項目変更カウンタ２２１のカウント値が所定回数に到達していないと判定した場合（ステップＳ２１６；ＮＯ）、ステップＳ２１７に進む。
【００４９】
（ステップＳ２１７）制御部２０２は、時刻設定モードに処理を移行する。項目変更カウンタ２２１のカウント値は、ステップＳ２１５で、主時刻表示から副時刻表示に切り替えた後に、または副時刻表示から主時刻表示に切り替えた後に、ボタンＡを１秒以上押して設定モードに移行させる毎に、カウントアップしていく。利用者が主時刻表示から副時刻表示に切り替えた後、または副時刻表示から主時刻表示に切り替えた後に、所定回数以上設定変更を繰り返すと、ステップＳ２１６で、項目変更カウンタ２２１のカウント値が所定回数に到達したと判定されることになる。
【００５０】
（ステップＳ２１８）項目変更カウンタ２２１のカウント値が所定回数に到達したと判定されると（ステップＳ２１６；Ｙｅｓ）、制御部２０２は、項目変更カウンタ２２１をリセットする。
（ステップＳ２１９）制御部２０２は、項目変更フラグをオフして、処理をステップＳ２１７に進める。
（ステップＳ２２０〜Ｓ２２５）制御部２０２は、ステップＳ１１４〜Ｓ１１９（図４）と同様に処理を行う。
【００５１】
以上説明したように、本実施形態に係る電子機器１ａにおいて、予め定められている条件は、第２の操作部（入力部１０３、ボタンＡ）により設定モードに切り替えられた後、所定の変更回数に到達した場合又は所定の変更回数に到達していない場合である。
【００５２】
この構成により、本実施形態では、図８のステップＳ２１０〜ステップＳ２１９で示したように、ボタンＡを１秒以上長押しして時刻モードから設定モードに移行させた際に、主時刻表示から副時刻表示に切り替えた後、または副時刻表示から主時刻表示に切り替えた後に、設定モードに設定した回数を条件として、通常設定モード又は時刻設定モードに切り替えている。
【００５３】
すなわち、主時刻表示から副時刻表示に切り替えられると、または副時刻表示から主時刻表示に切り替えられると、ステップＳ２０９で示したように、項目変更フラグはオンとなり、主時刻表示から副時刻表示に切り替えが行われていなければ、または副時刻表示から主時刻表示に切り替えが行われていなければ、項目変更フラグはオフとなる。項目変更フラグがオフのときには、ステップＳ２１４で示したように、通常設定モードにモードが移行される。項目変更フラグがオンのときには、ステップＳ２１７で示したように、時刻設定モードにモードが移行する。そして、ステップＳ２１５からステップＳ２１９に示したように、主時刻表示から副時刻表示に切り替えた後、または副時刻表示から主時刻表示に切り替えた後に設定モードに設定した回数が項目変更カウンタ２２１によりカウントされ、設定モードに設定した回数が所定回数以上に達すると、項目変更カウンタ２２１がリセットされ、項目変更フラグがオフとなる。このため、主時刻表示から副時刻表示に切り替えた後、または副時刻表示から主時刻表示に切り替えた後に、設定モードに設定した回数が所定回数を超えると、次回からは、通常設定モードにモードが移行される。
【００５４】
本実施形態は、利用者が副時刻に設定する際の行動様式を想定して、設定モードを切り替えている。つまり、通常、利用者は、一つの地域に留まって生活しており、利用者の生活圏の時刻に変更はない。このため、利用者は、主時刻の表示を使用して生活している。通常使用時には、利用者は、各種の設定を行う必要がある。そこで、本実施形態では、主時刻が表示されているときには、通常時の設定項目の設定モードにモードが移行させている。これにより、利用者は、所望項目の設定を行うことができる。
【００５５】
利用者が出張や旅行で外国に出かけると、利用者は、到着先で、副時刻への切り替えを行った直後に、副時刻の設定を行うと考えられる。そこで、本実施形態では、主時刻表示から副時刻表示に切り替えを行った直後に設定モードに移行させると、時刻設定モードにモードが移行される。時刻設定モードでは、設定項目が時刻の設定に関する項目に限定されている。これにより、利用者は、容易に副時刻の時刻設定を行うことができる。
【００５６】
利用者が外国に出かけたとしても、主時刻表示から副時刻表示に切り替え、または副時刻表示から主時刻表示に切り替えを行うのは、外国に到着してから数回であり、その地での生活が長くなれば、主時刻表示から副時刻表示に切り替え、または副時刻表示から主時刻表示に切り替えは殆ど行われない。そして、外国に長く生活すると、利用者は、副時刻の表示を通常使用して生活することになると考えられる。時刻設定モードでは、副時刻表示の設定は容易に行えるが、その他の設定項目に関する設定が行えない。そこで、本実施形態では、主時刻表示から副時刻表示に切り替え、または副時刻表示から主時刻表示に切り替えを行った後、設定モードに所定の回数移行させると、通常設定モードにモードが移行される。これにより、利用者は、所望項目の設定を行うことができるようになる。
【００５７】
なお、本実施形態では、主時刻が表示されている場合であっても副時刻が表示されている場合であっても、項目変更カウンタの値に応じて、時刻設定モード又は通常設定モードに切り替える例を説明したが、これに限られない。例えば、副時刻が表示されている場合のみ、項目変更カウンタの値に応じて、時刻設定モード又は通常設定モードに切り替えるようにしてもよい。また、どちらの時刻を表示しているときに、項目変更カウンタの値に応じて、時刻設定モード又は通常設定モードに切り替えるかを、利用者が入力部２０３を操作して選択するようにしてもよい。
【００５８】
［第３の実施形態］
次に、第３実施形態について説明する。図９は、第３実施形態における電子機器１ｂの構成を示したブロック図である。図９に示すように、本発明の第３の実施形態における電子機器は、発振部３０１、制御部３０２、入力部３０３、記憶部３０４、表示部３１１、バックライト３０５、ブザー３０６、歩数検出部３０７、項目変更タイマ３２１を備える。発振部３０１、制御部３０２、入力部３０３、記憶部３０４、表示部３１１、バックライト３０５、ブザー３０６、歩数検出部３０７は、第１の実施形態における、発振部１０１、制御部１０２、入力部１０３、記憶部１０４、表示部１１、バックライト１０５、ブザー１０６、歩数検出部１０７と同様であり、その説明は省略する。
項目変更タイマ３２１は、主時刻表示から副時刻表示に切り替えた後の時間、または副時刻表示から主時刻表示に切り替えた後の時間を計測し、計測した結果を制御部３０２に出力する。
【００５９】
図１０は、本実施形態における電子機器１ｂの時刻モードでの処理を示すフローチャートである。
（ステップＳ３０１）制御部３０２は、入力部３０３のボタンＡ〜Ｄが操作されたか否かを監視している。制御部３０２は、ボタンが操作されたことが検出された場合（ステップＳ３０１；ＹＥＳ）、ステップＳ３０２に進み、ボタンＡ〜Ｄが操作されたことが検出されない場合（ステップＳ３０１；ＮＯ）、ステップＳ３１０に進む。
【００６０】
（ステップＳ３０２〜Ｓ３０７）制御部３０２は、ステップＳ１０２〜Ｓ１０７と同様に処理を行う。
（ステップＳ３０８）制御部３０２は、項目変更タイマ３２１をスタートする。
（ステップＳ３０９）制御部３０２は、項目変更フラグをオンして、ステップＳ３０１に処理を戻す。
【００６１】
（ステップＳ３１０）制御部３０２は、項目変更タイマ３２１をスタートしているか否かを判定する。制御部３０２は、項目変更タイマ３２１をスタートしていると判定した場合（ステップＳ３１０；ＹＥＳ）、ステップＳ３１１に進み、項目変更タイマ３２１をスタートしていないと判定した場合（ステップＳ３１０；ＮＯ）、ステップＳ３０１に処理を戻す。
【００６２】
（ステップＳ３１１）制御部３０２は、項目変更タイマ３２１をカウントアップし、主時刻表示と副時刻表示との切り替えをした直後からの時間を計測する。
（ステップＳ３１２）制御部３０２は、項目変更タイマ３２１が所定時間経過しているか否かを判定する。制御部３０２は、項目変更タイマ３２１が所定時間経過していると判定した場合（ステップＳ３１２；ＹＥＳ）、ステップＳ３１３に進み、項目変更タイマ３２１が所定時間経過していないと判定した場合（ステップＳ３１２；ＮＯ）、ステップＳ３０１に処理を戻す。
（ステップＳ３１３）制御部３０２は、項目変更タイマ３２１をストップし、リセットする。
（ステップＳ３１４）制御部３０２は、項目変更フラグをオフさせる（ステップＳ３１４）。
【００６３】
前述したように、主時刻表示と副時刻表示との切り替えをした後では、制御部３０２は、項目変更タイマ３２１をカウントアップし（ステップＳ３１１）、主時刻表示と副時刻表示との切り替えをした直後からの時間を計測している。そして、項目変更タイマ３２１が所定時間経過していると判定されると、制御部３０２は、項目変更タイマ３２１をストップ、リセットし（ステップＳ３１３）、項目変更フラグをオフさせている（ステップＳ３１４）。したがって、主時刻表示から副時刻表示に切り替えをしてから、または副時刻表示から主時刻表示に切り替えをしてから所定時間経過すると、項目変更フラグがオフになり、設定モードに移行すると、通常設定モードにモードが移行する。
【００６４】
（ステップＳ３１５）制御部３０２は、ボタンＡが操作されたか否かを判定する。制御部３０２は、ボタンＡが操作されたと判定した場合（ステップＳ３１５；ＹＥＳ）、ステップＳ３１６に進み、ボタンＡが操作されていないと判定した場合（ステップＳ３１５；ＮＯ）、ステップＳ３２１に進む。
（ステップＳ３１６）制御部３０２は、ボタンＡが１秒以上押し続けられたかどうかを判定する。制御部３０２は、ボタンＡが１秒以上長押しされたと判定した場合（ステップＳ３１６；ＹＥＳ）、ステップＳ３１８に進み、ボタンＡの操作時間が１秒未満であると判定した場合（ステップＳ３１６；ＮＯ）、ステップＳ３１７に進む。
（ステップＳ３１７）制御部３０２は、処理をストップウォッチモードに移行させる。
【００６５】
（ステップＳ３１８）制御部３０２は、項目変更フラグがオンかどうかを判定する。ステップＳ３０９で示したように、項目変更フラグは、主時刻表示から副時刻表示に切り替えたとき、または副時刻表示から主時刻表示に切り替えたときにオンされる。したがって、主時刻表示から副時刻表示に切り替えを行っていなければ、または副時刻表示から主時刻表示に切り替えを行っていなければ項目変更フラグはオフになっている。制御部３０２は、項目変更フラグがオンであると判定した場合（ステップＳ３１８；ＹＥＳ）、ステップＳ３２０に進み、項目変更フラグがオフであると判定した場合（ステップＳ３１８；ＮＯ）、ステップＳ３１９に進む。
【００６６】
（ステップＳ３１９）制御部３０２は、通常設定モードに処理を移行する。
（ステップＳ３２０）制御部３０２は、時刻設定モードに処理を移行する。
（ステップＳ３２１〜Ｓ３２６）制御部３０２は、ステップＳ１１４〜Ｓ１１９（図４）と同様に処理を行う。
【００６７】
以上説明したように、本実施形態に係る電子機器１ｂにおいて、予め定められている条件は、第２の操作部（入力部１０３、ボタンＡ）により設定モードに切り替えられた後、所定の時間が経過した場合又は所定の時間が経過していない場合である。
【００６８】
この構成により、本実施形態では、図１０のステップＳ３１５〜ステップＳ３２０で示したように、ボタンＡを１秒以上長押しして時刻モードから設定モードに移行させた際に、主時刻表示から副時刻に切り替えた後の経過時間、または副時刻表示から主時刻表示に切り替えた後の経過時間を条件として、通常設定モード又は時刻設定モードに切り替えている。
【００６９】
すなわち、主時刻表示から副時刻に切り替えられると、または副時刻表示から主時刻表示に切り替えられるとステップＳ３０９で示すように、項目変更フラグはオンとなり、主時刻表示から副時刻表示に切り替えられていなければ、項目変更フラグはオフとなる。項目変更フラグがオフのときには、ステップＳ３１９で示したように、通常設定モードにモードが移行される。項目変更フラグがオンのときには、ステップＳ３２０で示したように、時刻設定モードにモードが移行される。
【００７０】
そして、ステップＳ３１０からステップＳ３１４で示したように、主時刻表示から副時刻表示に切り替えた後の経過時間、または副時刻表示から主時刻表示に切り替えた後の経過時間が項目変更タイマ３２１によりカウントされ、経過時間が所定時間に達すると、項目変更タイマ３２１がリセットされ、項目変更フラグがオフとなる。このため、主時刻表示から副時刻に切り替えた後、または副時刻表示から主時刻表示に切り替えた後、所定時間が経過すると、次回からは、通常設定モードにモードが移行される。
【００７１】
前述の第２実施形態と同様に、本実施形態は、利用者が副時刻に設定する際の行動様式を想定して、設定モードを切り替えている。つまり、通常、利用者は、一つの地域に留まって生活しており、利用者の生活圏の時刻に変更はない。このため、利用者は、主時刻の表示を使用して生活している。通常使用時には、利用者は、各種の設定を行う必要がある。そこで、本実施形態では、主時刻が表示されているときには、通常時の設定項目の設定モードにモードが移行させている。これにより、利用者は、所望項目の設定を行うことができる。
【００７２】
利用者が出張や旅行で外国に出かけると、利用者は、到着先で、副時刻表示への切り替えを行った直後に、副時刻の設定を行うと考えられる。そこで、本実施形態では、主時刻表示から副時刻表示に切り替えを行った直後に設定モードに移行させると、時刻設定モードにモードが移行される。時刻設定モードでは、設定項目が時刻の設定に関する項目に限定されている。これにより、利用者は、容易に副時刻の時刻設定を行うことができる。
【００７３】
利用者が外国に出かけたとしても、主時刻表示から副時刻表示に切り替え、または副時刻表示から主時刻表示に切り替えを行うのは、外国に到着してから所定時間内であり、その地での生活が長くなれば、主時刻表示から副時刻表示に切り替えは殆ど行われない。そして、外国に長く生活すると、利用者は、副時刻の表示を通常使用して生活することになると考えられる。時刻設定モードでは、副時刻の設定は容易に行えるが、その他の設定項目に関する設定が行えない。そこで、本実施形態では、主時刻表示から副時刻表示に切り替えを行った後、または副時刻表示から主時刻表示に切り替えを行った後、所定時間経過すると、通常設定モードにモードが移行される。これにより、利用者は、所望項目の設定を行うことができるようになる。
【００７４】
なお、本実施形態では、主時刻が表示されている場合であっても副時刻が表示されている場合であっても、項目変更タイマの値に応じて、時刻設定モード又は通常設定モードに切り替える例を説明したが、これに限られない。例えば、副時刻が表示されている場合のみ、項目変更タイマの値に応じて、時刻設定モード又は通常設定モードに切り替えるようにしてもよい。また、どちらの時刻を表示しているときに、項目変更タイマの値に応じて、時刻設定モード又は通常設定モードに切り替えるかを、利用者が入力部３０３を操作して選択するようにしてもよい。
【００７５】
なお、第１〜第３実施形態では、主時刻と副時刻とを表示部に表示しているが、副時刻として表示する時刻は、１つの副時刻に限らず、複数の副時刻を表示部に表示できるようにしても良い。
【００７６】
また、電子機器の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７７】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７８】
１０…本体、１１，１１１，２１１，３１１…表示部、１０１，２０１，３０１…発振部、１０２，２０２，３０２…制御部、１０３，２０３，３０３…入力部、１０４，２０４，３０４…記憶部、１０５，２０５，３０５…バックライト、２２１…項目変更カウンタ、３２１…項目変更タイマ
【図１】
2015010995.tif 000003
【図２】
2015010995.tif 000004
【図３】
2015010995.tif 000005
【図４】
2015010995.tif 000006
【図５】
2015010995.tif 000007
【図６】
2015010995.tif 000008
【図７】
2015010995.tif 000009
【図８】
2015010995.tif 000010
【図９】
2015010995.tif 000011
【図１０】
2015010995.tif 000012